(57)【特許請求の範囲】
【請求項１】
所定のネットワークに接続されたルータと、前記ルータに接続され、移動端末と通信可能な複数の通信装置とを有する移動通信システムにて、前記所定のネットワーク上の情報を前記移動端末へ提供する情報提供方法において、
前記ルータは、
前記所定のネットワーク上の情報を取得し、
前記取得した所定のネットワーク上の情報を接続されている全ての前記通信装置へ送信し、
前記各通信装置は、
前記ルータからの前記所定のネットワーク上の情報を受信し、
当該通信装置により構成されるサービスエリア内の移動端末より位置登録要求があった場合に、当該位置登録を行った移動端末の情報を、当該通信装置により構成されるサービスエリア内に在圏する移動端末を管理する在圏端末テーブルへ登録し、
前記在圏端末テーブルに登録した移動端末の情報の削除時刻を設定し、
前記受信した所定のネットワーク上の情報の宛先の移動端末の情報が前記在圏端末テーブルに含まれているか否かを判定し、
前記在圏端末テーブルに前記宛先の移動端末の情報が含まれていると判定した場合に、前記宛先の移動端末が当該通信装置により構成されるサービスエリア内に存在するものとして、当該移動端末へ前記受信した所定のネットワーク上の情報を当該通信装置により構成されるサービスエリアへ送信し、前記在圏端末テーブルに前記宛先の移動端末の情報が含まれていないと判定した場合に、前記宛先の移動端末が当該通信装置により構成されるサービスエリア内に存在しないものとして、当該移動端末へ前記所定のネットワーク上の情報を送信せずに破棄するようにした情報提供方法。
【請求項２】
所定のネットワークに接続されたルータと、前記ルータに接続され、移動端末と通信可能な複数の通信装置とを有する移動通信システムにて、前記所定のネットワーク上の情報を前記移動端末へ提供する情報提供方法において、
前記ルータは、
前記所定のネットワーク上の情報を取得し、
前記取得した所定のネットワーク上の情報を接続されている全ての前記通信装置へ送信し、
前記各通信装置は、
前記ルータからの前記所定のネットワーク上の情報を受信し、
当該通信装置により構成されるサービスエリア内の移動端末より位置登録要求があった場合に、当該位置登録を行った移動端末の情報を、当該通信装置により構成されるサービスエリア内に在圏する移動端末を管理する在圏端末テーブルへ登録し、
前記在圏端末テーブルに登録した移動端末の情報の削除時刻を設定し、
前記移動端末の情報を前記在圏端末テーブルに登録した後に当該移動端末より再度の位置登録要求がある毎に、前記削除時刻を更新し、
現在時刻が前記削除時刻になった場合に、前記在圏端末テーブルから当該削除時刻に対応する移動端末の情報を削除し、
前記受信した所定のネットワーク上の情報の宛先の移動端末の情報が前記在圏端末テーブルに含まれているか否かを判定し、
前記在圏端末テーブルに前記宛先の移動端末の情報が含まれていると判定した場合に、当該移動端末へ前記所定のネットワーク上の情報を送信し、前記在圏端末テーブルに前記宛先の移動端末の情報が含まれていないと判定した場合に、当該移動端末へ前記所定のネットワーク上の情報を送信しないようにするようにした情報提供方法。
【請求項３】
請求項１または２のいずれか一項に記載の情報提供方法において、
前記各通信装置は、
当該通信装置により構成されるサービスエリアを外れた移動端末より前記在圏端末テーブルから当該移動端末の情報を削除する要求がなされた場合に、当該要求に応じて、前記在圏端末テーブルから当該移動端末の情報を削除するようにした情報提供方法。
【請求項４】
所定のネットワークに接続されたルータと、前記ルータに接続され、移動端末と通信可能な複数の通信装置とを有する移動通信システムにおいて、
前記ルータは、
前記所定のネットワーク上の情報を取得する情報取得手段と、
前記情報取得手段により取得された所定のネットワーク上の情報を接続されている全ての前記通信装置へ送信する情報送信手段を備え、
前記各通信装置は、
前記ルータからの前記所定のネットワーク上の情報を受信する情報受信手段と、
当該通信装置により構成されるサービスエリア内の移動端末より位置登録要求があった場合に、当該位置登録を行った移動端末の情報を、当該通信装置により構成されるサービスエリア内に在圏する移動端末を管理する在圏端末テーブルへ登録する情報登録手段と、
前記情報受信手段により受信された所定のネットワーク上の情報の宛先の移動端末の情報が前記在圏端末テーブルに含まれているか否かを判定する情報有無判定手段と、
を備え、
前記情報通信手段は、前記情報有無判定手段により前記在圏端末テーブルに前記宛先の移動端末の情報が含まれていると判定された場合に、前記宛先の移動端末が当該通信装置により構成されるサービスエリア内に存在するものとして、当該移動端末へ前記情報受信手段により受信された前記所定のネットワーク上の情報を当該通信装置により構成されるサービスエリアへ送信し、前記在圏端末テーブルに前記宛先の移動端末の情報が含まれていないと判定された場合に、前記宛先の移動端末が当該通信装置により構成されるサービスエリア内に存在しないものとして、当該移動端末へ前記所定のネットワーク上の情報を送信せずに破棄するようにした移動通信システム。
【請求項５】
所定のネットワークに接続されたルータと、前記ルータに接続され、移動端末と通信可能な複数の通信装置とを有する移動通信システムにおいて、
前記ルータは、
前記所定のネットワーク上の情報を取得する情報取得手段と、
前記情報取得手段により取得された所定のネットワーク上の情報を接続されている全ての前記通信装置へ送信する情報送信手段を備え、
前記各通信装置は、
前記ルータからの前記所定のネットワーク上の情報を受信する情報受信手段と、
当該通信装置により構成されるサービスエリア内の移動端末より位置登録要求があった場合に、当該位置登録を行った移動端末の情報を、当該通信装置により構成されるサービスエリア内に在圏する移動端末を管理する在圏端末テーブルへ登録する情報登録手段と、
前記情報登録手段により前記在圏端末テーブルに登録された移動端末の情報の削除時刻を設定する削除時刻設定手段と、
前記情報登録手段により前記在圏端末テーブルに前記移動端末の情報が登録された後に当該移動端末より再度の位置登録要求がある毎に、前記削除時刻を更新する削除時刻更新手段と、
現在時刻が前記削除時刻になった場合に、前記在圏端末テーブルから当該削除時刻に対応する移動端末の情報を削除する第１の情報削除手段と、
前記情報受信手段により受信された所定のネットワーク上の情報の宛先の移動端末の情報が前記在圏端末テーブルに含まれているか否かを判定する情報有無判定手段と、
前記情報受信手段により受信された前記所定のネットワーク上の情報を当該通信装置により構成されるサービスエリアへ送信する情報通信手段と、
を備え、
前記情報通信手段は、前記情報有無判定手段により前記在圏端末テーブルに前記宛先の移動端末の情報が含まれていると判定された場合に、当該移動端末へ前記所定のネットワーク上の情報を送信し、前記在圏端末テーブルに前記宛先の移動端末の情報が含まれていないと判定された場合に、当該移動端末へ前記所定のネットワーク上の情報を送信しないようにした移動通信システム。
【請求項６】
請求項４または５のいずれか一項に記載の移動通信システムにおいて、
前記各通信装置は、
当該通信装置により構成されるサービスエリアを外れた移動端末より前記在圏端末テーブルから当該移動端末の情報を削除する要求がなされた場合に、当該要求に応じて、前記在圏端末テーブルから当該移動端末の情報を削除する第２の情報削除手段を備える移動通信システム。
【請求項７】
移動通信システムにて、所定のネットワーク上の情報を移動端末へ送信する通信装置において、
当該通信装置により構成されるサービスエリア内の移動端末より位置登録要求があった場合に、当該位置登録を行った移動端末の情報を当該通信装置により構成されるサービスエリア内に在圏する移動端末を管理する在圏端末テーブルへ登録する情報登録手段と、
前記情報受信手段により受信された所定のネットワーク上の情報の宛先の移動端末の情報が前記在圏端末テーブルに含まれているか否かを判定する情報有無判定手段と、
前記情報有無判定手段により前記在圏端末テーブルに前記宛先の移動端末の情報が含まれていると判定された場合に、前記宛先の移動端末が当該通信装置により構成されるサービスエリア内に存在するものとして、当該移動端末へ前記所定のネットワーク上の情報を送信し、前記在圏端末テーブルに前記宛先の移動端末の情報が含まれていないと判定された場合に、前記宛先の移動端末が当該通信装置により構成されるサービスエリア内に存在しないものとして、当該移動端末へ前記所定のネットワーク上の情報を送信せずに破棄する情報通信手段と、
を備える通信装置。
【請求項８】
移動通信システムにて、所定のネットワーク上の情報を移動端末へ送信する通信装置において、
当該通信装置により構成されるサービスエリア内の移動端末より位置登録要求があった場合に、当該位置登録を行った移動端末の情報を当該通信装置により構成されるサービスエリア内に在圏する移動端末を管理する在圏端末テーブルへ登録する情報登録手段と、
前記情報登録手段により前記在圏端末テーブルに登録された移動端末の情報の削除時刻を設定する削除時刻設定手段と、
前記情報登録手段により前記在圏端末テーブルに前記位置登録要求を行った移動端末の情報が登録された後に当該移動端末より再度の位置登録要求がある毎に、前記削除時刻を更新する削除時刻更新手段と、
現在時刻が前記削除時刻になった場合に、前記在圏端末テーブルから当該削除時刻に対応する移動端末の情報を削除する第１の情報削除手段と、
前記情報受信手段により受信された所定のネットワーク上の情報の宛先の移動端末の情報が前記在圏端末テーブルに含まれているか否かを判定する情報有無判定手段と、
前記情報有無判定手段により前記在圏端末テーブルに前記宛先の移動端末の情報が含まれていると判定された場合に、当該移動端末へ前記所定のネットワーク上の情報を送信し、前記在圏端末テーブルに前記宛先の移動端末の情報が含まれていないと判定された場合に、当該移動端末へ前記所定のネットワーク上の情報を送信しない情報通信手段と、
を備える通信装置。
【請求項９】
請求項７または８のいずれか一項に記載の通信装置において、
当該通信装置により構成されるサービスエリアを外れた移動端末より前記在圏端末テーブルから当該移動端末の情報を削除する要求がなされた場合に、当該要求に応じて、前記在圏端末テーブルから当該移動端末の情報を削除する第２の情報削除手段を備える移動通信システム。
【発明の詳細な説明】
【０００１】
【発明の属する技術分野】
本発明は、所定のネットワークに接続されたルータと、前記ルータに接続され、移動端末と通信可能な複数の通信装置とを有する移動通信システムにて、前記所定のネットワーク上の情報を前記移動端末へ提供する情報提供方法、当該情報提供方法が適用される移動通信システム及び通信装置に関する。
【０００２】
【従来の技術】
近年、移動端末に対し、例えばインターネット上の情報を提供するサービスが行われている。このような情報提供サービスでは、インターネット上の情報は、当該インターネットに接続されたルータと、当該ルータに接続された複数の通信装置（アクセスポイント）の何れかを介して移動端末へ送られる。
【０００３】
各アクセスポイントは、当該アクセスポイントが構成するサービスエリア内の移動端末から位置登録要求があると、その移動端末に関する情報（移動端末情報）をルータへ送信する。ルータは、このアクセスポイントからの移動端末情報により、移動端末への通信経路を管理するルーティングテーブルを更新する。そして、ルータは、インターネット上の情報を移動端末へ送信する場合には、このルーティングテーブルに基づいて、当該移動端末が存在するサービスエリアを構成するアクセスポイントを把握し、当該アクセスポイントのみに送信する。
【０００４】
【発明が解決しようとする課題】
しかし、上述した従来の情報提供方法では、移動端末が当該移動端末の存在するサービスエリアを構成するアクセスポイントに対し位置登録要求を行ってからルータがルーティングテーブルを更新するまでに時間差があるため、インターネット上の情報を送信する通信経路に誤りが生じることがある。
【０００５】
具体的には、ルータがルーティングテーブルを更新する前に、移動端末が位置登録要求を行ったアクセスポイント（第１のアクセスポイント）により構成されるサービスエリアから他のアクセスポイント（第２のアクセスポイント）により構成されるサービスエリアに移動した場合を考える。この場合には、ルータは、更新前のルーティングテーブルに基づいて、第１のアクセスポイントにインターネット上の情報を送信するため、移動端末が当該インターネット上の情報を受信することができなくなってしまう。
【０００６】
本発明は、上記問題点を解決するものであり、その目的は、移動端末への情報提供の確実性を向上させた情報提供方法、移動通信システム及び通信装置を提供することにある。
【０００７】
【課題を解決するための手段】
上記の目的を達成するため、本発明は請求項１に記載されるように、所定のネットワークに接続されたルータと、前記ルータに接続され、移動端末と通信可能な複数の通信装置とを有する移動通信システムにて、前記所定のネットワーク上の情報を前記移動端末へ提供する情報提供方法において、前記ルータは、前記所定のネットワーク上の情報を取得し、前記取得した所定のネットワーク上の情報を接続されている全ての前記通信装置へ送信し、前記各通信装置は、前記ルータからの前記所定のネットワーク上の情報を受信し、当該通信装置により構成されるサービスエリア内の移動端末より位置登録要求があった場合に、当該位置登録を行った移動端末の情報を、当該通信装置により構成されるサービスエリア内に在圏する移動端末を管理する在圏端末テーブルへ登録し、前記在圏端末テーブルに登録した移動端末の情報の削除時刻を設定し、前記受信した所定のネットワーク上の情報の宛先の移動端末の情報が前記在圏端末テーブルに含まれているか否かを判定し、前記在圏端末テーブルに前記宛先の移動端末の情報が含まれていると判定した場合に、前記宛先の移動端末が当該通信装置により構成されるサービスエリア内に存在するものとして、当該移動端末へ前記受信した所定のネットワーク上の情報を当該通信装置により構成されるサービスエリアへ送信し、前記在圏端末テーブルに前記宛先の移動端末の情報が含まれていないと判定した場合に、前記宛先の移動端末が当該通信装置により構成されるサービスエリア内に存在しないものとして、当該移動端末へ前記所定のネットワーク上の情報を送信せずに破棄するようにした。
【０００８】
このような情報提供方法では、ルータは所定のネットワーク上の情報を全ての通信装置へ送信し、各通信装置はこの所定のネットワーク上の情報を自らが構成するサービスエリアへ送信しているため、何れかの通信装置により構成されるサービスエリア内の移動端末は、位置に関わらず所定のネットワーク上の情報を受信することが可能となり、移動端末への情報提供の確実性が従来よりも向上する。また、各通信装置は所定のネットワーク上の情報の宛先が当該通信装置により構成されるサービスエリア内の移動端末であると判定した場合にのみ当該所定のネットワーク上の情報を送信するため、通信装置と移動端末との間の無線チャネルを有効に活用することが可能となる。
【０００９】
また、本発明は請求項２に記載されるように、所定のネットワークに接続されたルータと、前記ルータに接続され、移動端末と通信可能な複数の通信装置とを有する移動通信システムにて、前記所定のネットワーク上の情報を前記移動端末へ提供する情報提供方法において、前記ルータは、前記所定のネットワーク上の情報を取得し、前記取得した所定のネットワーク上の情報を接続されている全ての前記通信装置へ送信し、前記各通信装置は、前記ルータからの前記所定のネットワーク上の情報を受信し、当該通信装置により構成されるサービスエリア内の移動端末より位置登録要求があった場合に、当該位置登録を行った移動端末の情報を、当該通信装置により構成されるサービスエリア内に在圏する移動端末を管理する在圏端末テーブルへ登録し、前記在圏端末テーブルに登録した移動端末の情報の削除時刻を設定し、前記移動端末の情報を前記在圏端末テーブルに登録した後に当該移動端末より再度の位置登録要求がある毎に、前記削除時刻を更新し、現在時刻が前記削除時刻になった場合に、前記在圏端末テーブルから当該削除時刻に対応する移動端末の情報を削除し、前記受信した所定のネットワーク上の情報の宛先の移動端末の情報が前記在圏端末テーブルに含まれているか否かを判定し、前記在圏端末テーブルに前記宛先の移動端末の情報が含まれていると判定した場合に、当該移動端末へ前記所定のネットワーク上の情報を送信し、前記在圏端末テーブルに前記宛先の移動端末の情報が含まれていないと判定した場合に、当該移動端末へ前記所定のネットワーク上の情報を送信しないようにするようにした。
【００１２】
更に同様の観点から、本発明は請求項３に記載されるように、前記情報提供方法において、前記各通信装置は、当該通信装置により構成されるサービスエリアを外れた移動端末より前記在圏端末テーブルから当該移動端末の情報を削除する要求がなされた場合に、当該要求に応じて、前記在圏端末テーブルから当該移動端末の情報を削除するようにした。
【００１３】
請求項４乃至６に記載された発明は、上述した情報提供方法に適した移動通信システムである。また、請求項７乃至９に記載された発明は、上述した情報提供方法に適した通信装置である。
【００１４】
【発明の実施の形態】
以下、本発明の実施の形態を図面に基づいて説明する。図１は、本発明の実施の形態に係る第１実施例の移動通信システムの構成例を示す図である。
【００１５】
同図に示す移動通信システムは、ルータ１１０と、当該ルータ１１０に接続される複数の通信装置としてのアクセスポイント（ＡＰ：Access Point） １２０−０〜１２０−Ｎと、これらルータ１１０とアクセスポイント１２０−０〜１２０−Ｎとを接続する伝送ネットワーク１３０により構成される。この移動通信システムは、インターネット２００上の情報を、ルータ１１０、伝送ネットワーク１３０およびアクセスポイント１２０−０〜１２０−Ｎを介して、アクセスポイント１２０−０〜１２０−Ｎの何れかが構成するサービスエリア内の移動端末（ＭＨ：Mobile Host ）３００へ提供する。
【００１６】
ルータ１１０は、移動通信システムをインターネット２００に接続する役割を果たすものである。このルータ１１０は、移動端末３００の要求に応じて、あるいは自主的にインターネット２００上の情報（以下、「情報パケット」と称する）を取得する。ルータ１１０は、この取得した情報パケットを、伝送ネットワーク１３０を介して全てのアクセスポイント１２０−０〜１２０−Ｎへ送信する。
【００１７】
伝送ネットワーク１３０の構成は様々なものが考えられる。図２は、ルータ１１０とアクセスポイント１２０−０〜１２０−Ｎとを接続する伝送ネットワーク１３０の構成例を示す図である。
【００１８】
同図（ａ）は、ルータ１１０に接続された通信回線１３２や、アクセスポイント１３３−０〜１３３−Ｎのそれぞれに接続された通信回線１３３−０〜１３３−Ｎをバス１３１に接続したＢｕｓ型接続の形態を有している。また、同図（ｂ）は、ルータ１１０とアクセスポイント１２０−０〜１２０−Ｎとを個別の通信回線１３４−０〜１３４−Ｎにより接続したＳｔａｒ型接続の形態を有している、また、同図（ｃ）は、ルータ１１０とアクセスポイント１２０−０とを通信回線１３６により接続するとともに、アクセスポイント１２０−０〜１２０−Ｎを通信回線１３６−０〜１３６−Ｎ−１により接続したＬｉｎｅ型接続の形態を有している。
【００１９】
各アクセスポイント１２０−０〜１２０−Ｎは、伝送ネットワーク１３０を介してルータ１１０から送信された情報パケットを受信し、自らが構成するサービスエリアへ送信する。
【００２０】
アクセスポイント１２０−０〜１２０−Ｎの何れかが構成するサービスエリア内の移動端末３００は、これらアクセスポイント１２０−０〜１２０−Ｎの何れかが送信した情報パケットを受信する。例えば、移動端末３００がアクセスポイント１２０−１により構成されるサービスエリア内に存在する場合には、当該移動端末３００は、アクセスポイント１２０−１が送信した情報パケットを受信する。
【００２１】
このように、本実施例の移動通信システムでは、ルータ１１０は、インターネット２００から取得した情報パケットを全てのアクセスポイント１２０−０〜１２０−Ｎへ送信し、各アクセスポイント１２０−０〜１２０−Ｎは、この情報パケットを自らが構成するサービスエリアへ送信する。このため、アクセスポイント１２０−０〜１２０−Ｎの何れかにより構成されるサービスエリア内の移動端末３００は、その位置に関わらず情報パケットを受信することが可能となり、移動端末への情報提供の確実性が従来よりも向上する。
【００２２】
図３は、本発明の実施の形態に係る第２実施例の移動通信システムの構成例を示す図である。
【００２３】
同図に示す移動通信システムは、図１に示した第１実施例の移動通信システムと同様、ルータ１１０と、複数のアクセスポイント１２０−０〜１２０−Ｎと、これらルータ１１０とアクセスポイント１２０−０〜１２０−Ｎとを接続する伝送ネットワーク１３０により構成される。
【００２４】
ルータ１１０は、インターネット２００から情報パケットを取得し、この情報パケットを、伝送ネットワーク１３０を介して全てのアクセスポイント１２０−０〜１２０−Ｎへ送信する。
【００２５】
各アクセスポイント１２０−０〜１２０−Ｎは、自らが構成するサービスエリア内の移動端末から送信される位置登録要求を受信する。この位置登録要求には、送信元の移動端末を特定するための端末ＩＤ（例えば移動端末に付与された電話番号やＩＰアドレス等）が含まれている。各アクセスポイント１２０−０〜１２０−Ｎは、この受信した位置登録要求に含まれる端末ＩＤを、自らが構成するサービスエリア内の移動端末を管理する在圏端末テーブルに登録する。
【００２６】
また、各アクセスポイント１２０−０〜１２０−Ｎは、伝送ネットワーク１３０を介してルータ１１０から送信された情報パケットを受信する。この情報パケットには、当該情報パケットの宛先となる移動端末の端末ＩＤが含まれている。
各アクセスポイント１２０−０〜１２０−Ｎは、情報パケットを受信すると、当該情報パケット内の端末ＩＤが在圏端末テーブルに含まれているか否かを判定する。
【００２７】
各アクセスポイント１２０−０〜１２０−Ｎは、情報パケット内の端末ＩＤが在圏端末テーブルに含まれている場合には、自らが構成するサービスエリア内に、情報パケットの宛先となる移動端末が含まれるものとして、当該情報パケットを自らが構成するサービスエリアへ送信する。一方、各アクセスポイント１２０−０〜１２０−Ｎは、情報パケット内の端末ＩＤが在圏端末テーブルに含まれていない場合には、自らが構成するサービスエリア内に、情報パケットの宛先となる移動端末が含まれていないものとして、当該情報パケットを送信せずに破棄する。
【００２８】
例えば、アクセスポイント１２０−１により構成されるサービスエリア内に存在する移動端末３００に対し、情報パケットを送信する場合を考える。この場合には、アクセスポイント１２０−１は、移動端末３００からの位置登録要求に含まれる端末ＩＤを在圏端末テーブルに登録する。そして、アクセスポイント１２０−１は、情報パケットを受信すると、この情報パケットに内の端末ＩＤ（移動端末３００の端末ＩＤ）が在圏端末テーブルに含まれているか否かを判定する。
ここでは、アクセスポイント１２０−１は、移動端末３００の端末ＩＤが在圏端末テーブルに含まれていると判定し、情報パケットを移動端末３００へ送信する。アクセスポイント１２０−１により構成されるサービスエリア内に存在する移動端末３００は、当該アクセスポイント１２０−１から送信される情報パケットを受信する。
【００２９】
一方、他のアクセスポイント１２０−０、１２０−２〜１２０−Ｎは、受信した情報パケットに含まれる端末ＩＤ（移動端末３００の端末ＩＤ）が在圏端末テーブルに含まれているか否かを判定する。ここでは、アクセスポイント１２０−０、１２０−２〜１２０−Ｎは、移動端末３００の端末ＩＤが在圏端末テーブルに含まれていないと判定し、当該情報パケットを送信せずに破棄する。
【００３０】
このように、本実施例の移動通信システムでは、ルータ１１０は、取得したインターネット２００上の情報を全てのアクセスポイント１２０−０〜１２０−Ｎへ送信し、各アクセスポイント１２０−０〜１２０−Ｎは、このインターネット２００上の情報の宛先の移動端末の端末ＩＤが在圏端末テーブルに含まれている場合、換言すれば、インターネット２００上の情報の宛先の移動端末が、自らが構成するサービスエリア内に在圏する場合に、当該宛先の移動端末へインターネット２００上の情報を送信する。このため、第１実施例と同様、アクセスポイント１２０−０〜１２０−Ｎの何れかにより構成されるサービスエリア内の移動端末３００は、その位置に関わらずインターネット３００上の情報を受信することが可能となり、移動端末への情報提供の確実性が従来よりも向上する。また、各アクセスポイント１２０−０〜１２０−Ｎは、インターネット２００上の情報の宛先の移動端末の端末ＩＤが在圏端末テーブルに含まれている場合に、当該宛先の移動端末へインターネット２００上の情報を送信するため、アクセスポイントと移動端末との間の無線チャネルを有効に活用することが可能となる。
【００３１】
図４は、本発明の実施の形態に係る第３実施例の移動通信システムの構成例を示す図である。
【００３２】
同図に示す移動通信システムは、図１に示した第１実施例の移動通信システムと同様、ルータ１１０と、複数のアクセスポイント１２０−０〜１２０−Ｎと、これらルータ１１０とアクセスポイント１２０−０〜１２０−Ｎとを接続する伝送ネットワーク１３０により構成される。
【００３３】
ルータ１１０は、インターネット２００から情報パケットを取得し、この情報パケットを、伝送ネットワーク１３０を介して全てのアクセスポイント１２０−０〜１２０−Ｎへ送信する。
【００３４】
各アクセスポイント１２０−０〜１２０−Ｎは、自らが構成するサービスエリア内の移動端末から送信される位置登録要求を受信する。この位置登録要求には、送信元の移動端末を特定するための端末ＩＤが含まれている。
【００３５】
各アクセスポイント１２０−０〜１２０−Ｎは、位置登録要求を受信すると、この受信した位置登録要求に含まれる端末ＩＤを、自らが構成するサービスエリア内の移動端末を管理する在圏端末テーブルに登録するとともに、この登録した端末ＩＤを削除する時刻を設定する。
【００３６】
図５は、第３実施例における在圏端末テーブルの一例を示す図である。同図に示すように、在圏端末テーブルは、対応するアクセスポイントにより構成されるサービスエリア内の移動端末（在圏端末）の端末ＩＤと、当該端末ＩＤを削除する時刻（情報削除時刻）とが対応付けられている。情報削除時刻は、例えばアクセスポイントが対応する移動端末から位置登録要求を受信した時刻に５分を加えた時刻である。
【００３７】
各アクセスポイント１２０−０〜１２０−Ｎは、このように在圏端末テーブルに端末ＩＤを登録するとともに、当該端末ＩＤの削除時刻を設定した後、端末ＩＤが登録された移動端末から再度の位置登録要求を受信した場合には、在圏端末テーブル内の情報削除時刻を更新する。例えば、各アクセスポイント１２０−０〜１２０−Ｎは、情報削除時刻を再度の位置登録要求を受信した時刻に５分を加えた時刻に更新する。
【００３８】
また、各アクセスポイント１２０−０〜１２０−Ｎは、在圏端末テーブル内の情報削除時刻を監視し、現在時刻が情報削除時刻になった場合には、その情報削除時刻に対応する端末ＩＤを削除する。
【００３９】
例えば、移動端末３００がアクセスポイント１２０−０により構成されるサービスエリア内からアクセスポイント１２０−１により構成されるサービスエリア内に移動する場合を考える。
【００４０】
この場合には、アクセスポイント１２０−０は、自らが構成するサービスエリア内に存在する移動端末３００から位置登録要求があると、在圏端末テーブルに移動端末３００の端末ＩＤを登録するとともに、当該端末ＩＤの削除時刻を設定する。そして、アクセスポイント１２０−０は、移動端末３００からの再度の位置登録要求がある毎に、この在圏端末テーブル内の情報削除時刻を更新する。その後、移動端末３００が移動し、アクセスポイント１２０−０により構成されるサービスエリアから外れると、当該移動端末３００からアクセスポイント１２０−０へ位置登録要求が送信されなくなる。このため、アクセスポイント１２０−０は、在圏端末テーブル内の情報削除時刻の更新を停止する。その後、アクセスポイント１２０−０は、現在時刻が情報削除時刻になった場合には、在圏端末テーブル内の移動端末３００の端末ＩＤを削除する。
【００４１】
各アクセスポイント１２０−０〜１２０−Ｎが伝送ネットワーク１３０を介してルータ１１０から送信された情報パケットを受信した場合の動作は、第２実施例の場合と同様である。
【００４２】
即ち、各アクセスポイント１２０−０〜１２０−Ｎは、情報パケットを受信すると、当該情報パケット内の端末ＩＤが在圏端末テーブルに含まれているか否かを判定する。
【００４３】
各アクセスポイント１２０−０〜１２０−Ｎは、情報パケット内の端末ＩＤが在圏端末テーブルに含まれている場合には、当該情報パケットを自らが構成するサービスエリアへ送信する。一方、各アクセスポイント１２０−０〜１２０−Ｎは、情報パケット内の端末ＩＤが在圏端末テーブルに含まれていない場合には、当該情報パケットを送信せずに破棄する。
【００４４】
図６は、本発明の実施の形態に係る第４実施例の移動通信システムの構成例を示す図である。
【００４５】
同図に示す移動通信システムは、図１に示した第１実施例の移動通信システムと同様、ルータ１１０と、複数のアクセスポイント１２０−０〜１２０−Ｎと、これらルータ１１０とアクセスポイント１２０−０〜１２０−Ｎとを接続する伝送ネットワーク１３０により構成される。
【００４６】
ルータ１１０は、インターネット２００から情報パケットを取得し、この情報パケットを、伝送ネットワーク１３０を介して全てのアクセスポイント１２０−０〜１２０−Ｎへ送信する。
【００４７】
各アクセスポイント１２０−０〜１２０−Ｎは、自らが構成するサービスエリア内の移動端末から送信される位置登録要求を受信する。この位置登録要求には、送信元の移動端末を特定するための端末ＩＤが含まれている。
【００４８】
各アクセスポイント１２０−０〜１２０−Ｎは、位置登録要求を受信すると、この受信した位置登録要求に含まれる端末ＩＤを、自らが構成するサービスエリア内の移動端末を管理する在圏端末テーブルに登録する。
【００４９】
また、各アクセスポイント１２０−０〜１２０−Ｎは、自らが構成するサービスエリア内の移動端末から送信される情報削除要求を受信する。移動端末は、所定のアクセスポイントによって構成されるサービスエリアを外れた場合に、当該所定のアクセスポイントが有する在圏端末テーブルから当該移動端末の端末ＩＤを削除する要求（情報削除要求）を送信する。この情報削除要求には、送信元の移動端末の端末ＩＤと、端末ＩＤを削除したい在圏端末テーブルを有するアクセスポイントの識別情報とが含まれている。
【００５０】
各アクセスポイント１２０−０〜１２０−Ｎは、情報削除要求を受信すると、当該情報削除要求に含まれるアクセスポイントの識別情報を解析し、当該識別情報に対応する他のアクセスポイントに対し、この情報削除要求を送信する。
【００５１】
他のアクセスポイントは、情報削除要求を受信すると、当該情報削除要求に含まれる端末ＩＤを解析し、当該端末ＩＤを在圏端末テーブルから削除する。
【００５２】
例えば、移動端末３００がアクセスポイント１２０−０により構成されるサービスエリア内からアクセスポイント１２０−１により構成されるサービスエリア内へ移動した場合を考える。
【００５３】
この場合には、移動端末３００は、移動後に在圏するサービスエリアを構成するアクセスポイント１２０−１に対し、移動前に存在していたアクセスポイント１２０−０が有する在圏端末テーブルから当該同端末３００の端末ＩＤを削除するための情報削除要求を送信する。アクセスポイント１２０−１は、情報削除要求を受信すると、当該情報削除要求に含まれるアクセスポイントの識別情報を解析し、当該識別情報に対応するアクセスポイント（ここではアクセスポイント１２０−０）に対し、この情報削除要求を送信する。
【００５４】
アクセスポイント１２０−０は、情報削除要求を受信すると、当該情報削除要求に含まれる端末ＩＤを解析し、当該端末ＩＤ（ここでは移動端末３００の端末ＩＤ）を在圏端末テーブルから削除する。
【００５５】
各アクセスポイント１２０−０〜１２０−Ｎが伝送ネットワーク１３０を介してルータ１１０から送信された情報パケットを受信した場合の動作は、第２実施例の場合と同様である。
【００５６】
即ち、各アクセスポイント１２０−０〜１２０−Ｎは、情報パケットを受信すると、当該情報パケット内の端末ＩＤが在圏端末テーブルに含まれているか否かを判定する。
【００５７】
各アクセスポイント１２０−０〜１２０−Ｎは、情報パケット内の端末ＩＤが在圏端末テーブルに含まれている場合には、当該情報パケットを自らが構成するサービスエリアへ送信する。一方、各アクセスポイント１２０−０〜１２０−Ｎは、情報パケット内の端末ＩＤが在圏端末テーブルに含まれていない場合には、当該情報パケットを送信せずに破棄する。
【発明の効果】
上述の如く、本願発明は、ルータは所定のネットワーク上の情報を全ての通信装置へ送信し、各通信装置はこの所定のネットワーク上の情報を自らが構成するサービスエリアへ送信しているため、何れかの通信装置により構成されるサービスエリア内の移動端末は、位置に関わらず所定のネットワーク上の情報を受信することが可能となり、移動端末への情報提供の確実性が従来よりも向上する。
【図面の簡単な説明】
【図１】第１実施例における移動通信システムの構成例を示す図である。
【図２】ルータと各アクセスポイントとを接続するネットワークの構成例を示す図である。
【図３】第２実施例における移動通信システムの構成例を示す図である。
【図４】第３実施例における移動通信システムの構成例を示す図である。
【図５】在圏端末テーブルの一例を示す図である。
【図６】第４実施例における移動通信システムの構成例を示す図である。
【符号の説明】
１１０  ルータ
１２０−０〜１２０−Ｎ  アクセスポイント（ＡＰ）
１３０  伝送ネットワーク
２００  インターネット
３００  移動端末（ＭＨ）
【図１】
0003693239.tif 000002
【図２】
0003693239.tif 000003
【図３】
0003693239.tif 000004
【図４】
0003693239.tif 000005
【図５】
0003693239.tif 000006
【図６】
0003693239.tif 000007